(57)【要約】【課題】箱の強度を全体的に均一にすること。【解決手段】箱１は、下方向の力を受けると、段ボールＢの中芯Ｂｃが上下方向に沿っている、前板１２、１対の前側板１２Ｌ，１２Ｒ、後板１３、１対の後側板１３Ｌ，１３Ｒ、及び１対の天側板３１Ｌ，３１Ｒで受け止める。前後方向の力を受けると、中芯が前後方向に沿っている、底板１１と、１対の底側板１１Ｌ，１１Ｒとが受け止める。左右方向の力を受けると、中芯が左右方向に沿っている天板３１が受け止める。また、左右方向の力は、前側板及び後側板に、天側板及び底側板が重なり、他の面と異なって、複数枚重ねになっている左右側面でも受け止める。このように、箱は、３方向の力を、力の方向に沿った中芯と、板の重なりとで受け止めるようになっているので、強度を全体的にほぼ均一にすることができる。【選択図】図４
2015000751.tif 000002
【特許請求の範囲】
【請求項１】
本体と蓋とが段ボール製の箱において、
前記本体は、
底板と、
前記底板の前後方向の両側に、前記段ボールの中芯に直角な折り目を介して前記底板と連続した前板、及び後板と、
前記前板の左右方向の両側に、前記中芯に平行な折り目を介して前記前板に連続した１対の前側板と、
前記底板の左右方向の両側に、前記中芯に平行な折り目を介して前記底板に連続した１対の底側板と、
前記後板の左右方向の両側に、前記中芯に平行な折り目を介して前記後板に連続した１対の後側板と、を備え、
各前記板を、各前記折り目に沿って折り曲げて、前記底側板に前記前側板と前記後側板とを重ねることによって上部が開放された箱状に形成され、
前記蓋は、
天板と、
前記天板の左右方向の両側に、前記段ボールの中芯に直角な折り目を介して前記天板に連続した１対の天側板と、を備え、
前記天側板を折り目に沿って折り曲げて、前記天板で前記本体の上部を被せた状態において、前記前側板と前記底側板と前記後側板との内、少なくとも前記前側板と前記後側板とに前記天側板が重なる、
ことを特徴とする箱。
【請求項２】
前記前板と前記後板との少なくとも一方の板と、前記底板は、前記折り目の部分で分離した形状に別々に形成されて、別々に形成された板同士の一方の板の前記折り目に相当する部分に接合片を有し、該接合片によって、前記分離した板同士が連続して形成されている、
ことを特徴とする請求項１に記載の箱。
【請求項３】
前記本体は、被係合部を備え、
前記蓋は、係合部を備え、前記係合部を前記被係合部に係合させて、前記本体の上部を被せた状態で、前記本体の前記中芯と前記蓋の中芯との向きが、互いに直交する向きである、
ことを特徴とする請求項１又は２に記載の箱。
【請求項４】
前記本体の底板と、前記蓋の天板は、長方形に形成され、前記蓋を前記本体の長方形に合わせて前記本体の上部を被せた状態で、前記本体の前記中芯と前記蓋の中芯との向きが、互いに直交する向きである、
ことを特徴とする請求項１又は２に記載の箱。
【発明の詳細な説明】
【技術分野】
【０００１】
本発明は、本体と蓋とが段ボール製の箱に関する。
【背景技術】
【０００２】
従来、厚紙製の箱がある（特許文献１参照）。
【先行技術文献】
【特許文献】
【０００３】
【特許文献１】特開平１０−４５１２２号公報
【発明の概要】
【発明が解決しようとする課題】
【０００４】
しかし、従来の厚紙製の６面体の箱は、各面において、厚紙の重なり枚数が異なっており、取り扱い中に受ける外力の方向によって、強度が異なっていた。このため、従来の箱は、取り扱い中に受ける外力の方向によっては、変形して、箱に収納されている収納物を損傷するおそれがあり、取り扱いに注意が必要であった。
【０００５】
本発明は、強度を全体的に均一にした箱を提供することにある。
【課題を解決するための手段】
【０００６】
本発明の箱は、本体と蓋とが段ボール製であり、前記本体は、底板と、前記底板の前後方向の両側に、前記段ボールの中芯に直角な折り目を介して前記底板と連続した前板、及び後板と、前記前板の左右方向の両側に、前記中芯に平行な折り目を介して前記前板に連続した１対の前側板と、前記底板の左右方向の両側に、前記中芯に平行な折り目を介して前記底板に連続した１対の底側板と、前記後板の左右方向の両側に、前記中芯に平行な折り目を介して前記後板に連続した１対の後側板と、を備え、各前記板を、各前記折り目に沿って折り曲げて、前記底側板に前記前側板と前記後側板とを重ねることによって上部が開放された箱状に形成され、前記蓋は、天板と、前記天板の左右方向の両側に、前記段ボールの中芯に直角な折り目を介して前記天板に連続した１対の天側板と、を備え、前記天側板を折り目に沿って折り曲げて、前記天板で前記本体の上部を被せた状態において、前記前側板と前記底側板と前記後側板との内、少なくとも前記前側板と前記後側板とに前記天側板が重なる、ことを特徴としている。
【発明の効果】
【０００７】
本発明の箱は、下方向の力を受けると、中芯が上下方向に沿っている、前板、１対の前側板、後板、及び１対の後側板で受け止める。前後方向の力を受けると、中芯が前後方向に沿っている、底板と、１対の底側板とが受ける。左右方向の力を受けると、中芯が左右方向に沿っている天板が受ける。また、左右方向の力は、前側板及び後側板に、天側板及び底側板が重なり、他の面と異なって、複数枚重ねになっている左右側面で受ける。このように、本発明の箱は、３方向の力を、力の方向に沿った中芯と、各板の重なりとで受け止めるようになっているので、強度を全体的にほぼ均一にすることができる。
【図面の簡単な説明】
【０００８】
【図１】箱の本体を展開した図である。
【図２】段ボールの構造を示す図である。
【図３】収納物を箱に収納するときの箱の組立順序を示す図である。
【図４】図３に続く箱の組立順序を示す図である。
【図５】収納物を収納した箱の外観図である。
【図６】箱の本体の底板、前板、及び後板を別々に形成した場合の本体の展開図である。
【発明を実施するための形態】
【０００９】
以下、本発明の実施の形態の箱を図に基づいて説明をする。図１は、箱１の本体１０を展開した図である。図２は、段ボールＢの構造を示す図である。図３は、収納物Ｗを箱１に収納するときの箱１の組立順序を示す図である。図４は、図３に続く箱１の組立順序を示す図である。図５は、収納物を収納した箱１の外観図である。図６は、箱１の本体１０の底板１１、前板１２、及び後板１３を別々に形成した場合の本体の展開図である。
【００１０】
図４において、箱１は、段ボール製の本体１０及び蓋３０とで形成されている。図２において、段ボールＢは、２枚のライナＢａで波状の中芯Ｂｃを挟んだ形状になっている。なお、本発明において、中芯Ｂｃに沿った方向とは、中芯Ｂｃの波状の頂部Ｂｃａと底部Ｂｃｂに沿った矢印Ａ方向のことである。また、中芯Ｂｃに直角な方向とは、波状の配列方向の矢印Ｃ方向のことである。
【００１１】
図１において、本体１０は、底板１１、前板１２、後板１３、１対の前側板１２Ｌ，１２Ｒ、１対の底側板１１Ｌ，１１Ｒ、１対の後側板１３Ｌ，１３Ｒ、前側折返し片１２Ａ、及び後側折返し片１３Ａで形成されている。各板１１，１２，１３，１２Ｌ，１２Ｒ，１１Ｌ，１１Ｒ，１３Ｌ，１３Ｒ，１２Ａ，１３Ａは、方形状に形成されている。
【００１２】
前板１２、及び後板１３は、底板１１の前後方向の両側に、段ボールＢの中芯Ｂｃに直角な折り目１１ｆ、１１ｇを介して底板１１と連続して形成されている。１対の前側板１２Ｌ，１２Ｒは、前板１２の左右方向の両側に、中芯Ｂｃに平行な折り目１２ｃ，１２ｄを介して前板１２に連続して形成されている。１対の底側板１１Ｌ，１１Ｒは、底板１１の左右方向の両側に、中芯Ｂｃに平行な折り目１１ｃ，１１ｄを介して底板１１に連続して形成されている。１対の後側板１３Ｌ，１３Ｒは、後板１３の左右方向の両側に、中芯Ｂｃに平行な折り目１３ｃ，１３ｄを介して後板１３に連続して形成されている。前側折返し片１２Ａは、前板１２の前側に、中芯Ｂｃに直角な折り目１２ｆを介して前板１２に連続して形成されている。後側折返し片１３Ａは、後板１３の後側に、中芯Ｂｃに直角な折り目１３ｇを介して後板１３に連続して形成されている。
【００１３】
前側板１２Ｌ，１２Ｒと底側板１１Ｌ，１１Ｒとの間には、前切り込み１２ｓが形成されている。前切り込み１２ｓは、底板１１と前板１２との折り目１１ｆとほぼ一直線に形成されている。底側板１１Ｌ，１１Ｒと後側板１３Ｌ，１３Ｒとの間にも、後切り込み１３ｓが形成されている。後切り込み１３ｓも、底板１１と後板１３との折り目１１ｇとほぼ一直線に形成されている。前側折返し片１２Ａには、折り目１２ｆに沿って長方形状の前スリット１４ｆが形成されている。後側折返し片１３Ａにも、折り目１３ｇに沿って長方形状の後スリット１４ｇが形成されている。前側板１２Ｌ，１２Ｒと後側板１３Ｌ，１３Ｒとの中芯Ｂｃに沿った外縁には、後述する取手孔２（図５）を形成する、中芯Ｂｃに直角な方形状の切欠１５ｃ、１５ｄ、１６ｃ、１６ｄが底側板１１Ｌ，１１Ｒを対称中心にして、対称の位置に形成されている。
【００１４】
次に、本体１０の組立順序を説明する。図３に示すように、底板１１に収納物Ｗを載置する。収納物Ｗの上部と下部には、発泡スチロール製のパッキンＷＰを装着してある。パッキンＷＰは、収納物Ｗが段ボールＢを破かないようにするとともに、箱１を床に置いたときの衝撃が収納物Ｗに伝わらないようにする緩衝部材として装着してある。
【００１５】
図４に示すように、前板１２と後板１３を、底板１１に対して直角に、折り目１１ｆ，１１ｇに沿って折り曲げる。その後、前側板１２Ｌ，１２Ｒを、前板１２に対して直角に、折り目１２ｃ、１２ｄに沿って折り曲げる。また、後側板１３Ｌ，１３Ｒも、後板１３に対して直角に、折り目１３ｃ，１３ｄに沿って折り曲げる。最後に、底側板１１Ｌ，１１Ｒを、底板１１に対して直角に、折り目１１ｃ，１１ｄに沿って折り曲げる。この結果、前側板１２Ｌ，１２Ｒと後側板１３Ｌ，１３Ｒとの切欠１５ｃ、１５ｄ、１６ｃ、１６ｄが向き合って、前側板１２Ｌ，１２Ｒと後側板１３Ｌ，１３Ｒとに、底側板１１Ｌ，１１Ｒが重ねられる。そして、前側折返し片１２Ａと、後側折返し片１３Ａとを、折り目１２ｆ、１３ｇに沿って、内側に直角に折り曲げて、互いに向き合った状態にする。このようにして、本体１０は、上部が開放された箱状に形成される。
【００１６】
次に、図４に基づいて、蓋３０を説明する。蓋３０は、天板３１、１対の天側板３１Ｌ，３１Ｒ、前側係合片３２ｆ、及び後側係合片３２ｇで形成されている。１対の天側板３１Ｌ，３１Ｒは、天板３１の左右両側に、段ボールＢの中芯Ｂｃに直角な折り目３１ｃ，３１ｄを介して天板３１に連続して形成されている。１対の天側板３１Ｌ，３１Ｒには、折り目３１ｃ，３１ｄに沿った長孔３３ｃ，３３ｄが形成されている。前側係合片３２ｆは、天板３１の前側に、中芯Ｂｃに平行な折り目３１ｆを介して天板３１に連続して形成されている。後側係合片３２ｇは、天板３１の後側に、中芯Ｂｃに平行な折り目３１ｇを介して天板３１に連続して形成されている。
【００１７】
図１において、前側板１２Ｌ，１２Ｒと後側板１３Ｌ，１３Ｒの中芯Ｂｃに直角な方向（左右方向）の長さは、底板１１の中芯Ｂｃに沿った方向（前後方向）の長さＬ１の半分（Ｌ１／２）である。底側板１１Ｌ，１１Ｒの中芯Ｂｃに直角の方向（左右方向）の長さと、天側板３１Ｌ，３１Ｒの中芯Ｂｃに沿った方向（左右方向）に沿った長さは、前板１２と後板１３の中芯Ｂｃに沿った方向（前後方向）の長さＬ２の半分（Ｌ２／２）である。
【００１８】
図４において、蓋３０は、１対の天側板３１Ｌ，３１Ｒ、前側係合片３２ｆ、及び後側係合片３２ｇを、天板３１に対して直角に、折り目３１ｆ，３１ｇに沿って折り曲げると、逆Ｕ字状になる。本体１０は、前側板１２Ｌ，１２Ｒと後側板１３Ｌ，１３Ｒとの切欠１５ｃ，１５ｄ，１６ｃ，１６ｄが向き合って、底側板１１Ｌ，１１Ｒに前側板１２Ｌ，１２Ｒと後側板１３Ｌ，１３Ｒとが重ねられている。また、本体１０は、前側折返し片１２Ａと、後側折返し片１３Ａとが、折り目１２ｆ，１３ｇに沿って、内側に直角に折り曲げられて、互いに向き合っている。
【００１９】
図４において、１対の天側板３１Ｌ，３１Ｒ、前側係合片３２ｆ、及び後側係合片３２ｇを折り曲げられた蓋３０を本体１０の上部に被せると、図５に示すように、収納物を収納した箱１になる。このとき、図４において、係合部としての前側係合片３２ｆと後側係合片３２ｇとを、本体１０の被係合部としての前スリット１４ｆと後スリット１４ｇとに挿し込み、天側板３１Ｌ，３１Ｒを前側板１２Ｌ，１２Ｒと後側板１３Ｌ，１３Ｒとに重ねる。すると、上記した各板の長さ関係によって、前側板１２Ｌ，１２Ｒと後側板１３Ｌ，１３Ｒとに底側板１１Ｌ，１１Ｒと天側板３１Ｌ，３１Ｒとが重なる。また、向き合った前側板１２Ｌ，１２Ｒと後側板１３Ｌ，１３Ｒとの切欠１５ｃ，１５ｄ，１６ｃ，１６ｄと、天側板３１Ｌ，３１Ｒの長孔３３ｃ，３３ｄとが重なって、取手孔２になる。さらに、本体１０の中芯Ｂｃの向きと、蓋３０の中芯Ｂｃの向きとが互いに直交した状態になる。
【００２０】
図５に示すように、本体１０に蓋３０が被せられた箱１は、天側板３１Ｌ，３１Ｒと底側板１１Ｌ，１１Ｒとの境目に沿って接着テープＴが巻かれて、本体１０と蓋３０とが一体化され、ユーザが、取手孔２に指を挿し込んで運ぶことができるようになる。なお、取手孔２は、必ずしも必要としない。
【００２１】
以上の説明において、係合部としての前側係合片３２ｆと後側係合片３２ｇとを、本体１０の被係合部としての前スリット１４ｆと後スリット１４ｇとに挿し込み、本体１０の中芯Ｂｃの向きと蓋３０の中芯Ｂｃの向きとを互いに直交するようにしている。しかし、本体１０と蓋３０とに付けた不図示の印に基づいて、本体１０と蓋３０との相対位置を決めて、本体１０の中芯Ｂｃの向きと蓋３０の中芯Ｂｃの向きとを互いに直交させてもよい。さらに、本体１０の底板１１と蓋３０の天板３１とを長方形に形成して、蓋３０を本体１０の長方形に合わせて、本体１０と蓋３０との相対位置を決め、蓋３０の中芯Ｂｃと本体１０の中芯Ｂｃとを互いに直交させてもよい。
【００２２】
次に、箱１の強度について説明する。図１、図４、図５において、箱１に上方から下方に下方向力Ｐ１（図５）が加わると、中芯Ｂｃが下方向力Ｐ１に沿っている、前板１２、１対の前側板１２Ｌ，１２Ｒ、後板１３、及び１対の後側板１３Ｌ，１３Ｒが下方向力を受け止める。箱１の前後方向から前後方向力Ｐ２が加わると、中芯Ｂｃが前後方向力Ｐ２に沿っている、底板１１と、１対の底側板１１Ｌ，１１Ｒとが前後方向力Ｐ２を受け止める。箱１の左右方向から左右方向力Ｐ３が加わると、中芯Ｂｃが左右方向力Ｐ３に沿っている、天板３１が左右方向力Ｐ３を受け止める。
【００２３】
また、中芯Ｂｃが左右方向力Ｐ３に沿っている板は天板３１のみである。このため、左右方向力Ｐ３は、天板３１が受けていることになるが、前側板１２Ｌ，１２Ｒ及び後側板１３Ｌ，１３Ｒに、天側板３１Ｌ，３１Ｒ及び底側板１１Ｌ，１１Ｒが重なって２枚重ねになっている左右側面でも受けることになる。
【００２４】
このように、箱１は、箱１を形成する板の中芯Ｂｃが３方向を向いているため、３方向のいずれの方向から力を受けても、加わった力の方向に沿った中芯Ｂｃを備えた板で力を受けることができる。また、左右方向力Ｐ３は、２枚重ねになっている左右側面でも受け止めることができる。この結果、箱１は、全体として略均一の強度になっており、いずれの方向の外力をうけても、変形することが少なく、収納物Ｗを損傷することなく保管することができる。
【００２５】
また、下方向力Ｐ１は、前板１２、１対の前側板１２Ｌ，１２Ｒ、後板１３、１対の後側板１３Ｌ，１３Ｒ、及び１対の天側板３１Ｌ，３１Ｒで構成された、板の重なり枚数の多い、主に、前後面で受け止めるようになっている。このため、箱１は、重ねて保管されても、変形することが殆ど無く、収納物Ｗを損傷することなく保管することができる。
【００２６】
さらに、図１の本体１０を展開した図において、中芯Ｂｃは、前後方向を向いている。一方、段ボールＢは、型取りされる前、図１の左右方向に巻かれてロール状になっている。このため、本体１０の型取りをする場合、本体１０同士を左右方に平行に、連続的に型取りすることができて、型取りの能率を高めることができる。
【００２７】
また、以上説明した、図１に示す本体１０は、１枚の段ボールＢで形成されているが、図６（Ａ）、（Ｂ）に示す本体１１０のように、前板１２と後板１３との少なくとも一方の板と底板１１との板同士は、別々に形成してもよい。前板１２と後板１３と底板１１は、折り目１１ｆ，１１ｇの部分で分離した形状に別々に形成されて、底板１１の前後の折り目１１ｆ，１１ｇに相当する縁から前後方向に延びた接合片４１ｆ，４１ｇによって、前板１２と後板１３とが底板１１に接続されている。接合片４１ｆ，４１ｇは、底板１１に形成されないで、前板１２と後板１３の折り目に相当する縁に底板１１の方向に延びて形成されてもよい。
【００２８】
さらに、図１において、本体１０の底側板１１Ｌ，１１Ｒの左右方向の長さは、前板１２と後板１３との前後方向の長さＬ２の半分の長さ（Ｌ２／２）であるが、前板１２と後板１３との前後方向の長さＬ２と同じ（Ｌ２）であってもよい。また、図４において、天板３１の天側板３１Ｌ，３１Ｒの左右方向の長さも、前板１２と後板１３との前後方向の長さＬ２の半分の長さ（Ｌ２／２）であるが、前板１２と後板１３との前後方向の長さＬ２と同じ（Ｌ２）であってもよい。
【符号の説明】
【００２９】
１：箱、１１００１：本体、１１：底板、１１Ｌ，１１Ｒ：底側板、１２：前板、１２Ｌ，１２Ｒ：前側板、１２Ａ：前側折返し片、１３：後板、１３Ｌ，１３Ｒ：後側板、１３Ａ：前側折返し片、１１ｇ，１１ｆ，１１ｃ，１１ｄ，１２ｃ、１２ｄ，１２ｆ，１３ｃ，１３ｄ，１３ｇ：折り目、１４ｆ：前スリット（被係合部）、１４ｇ：後スリット（被係合部）、３０：蓋、３１：天板、３１Ｌ，３１Ｒ：天側板、３２ｆ：前側係合片（係合部）、３２ｇ：後側係合片（係合部）、３１ｃ，３１ｄ，３１ｆ，３１ｇ：折り目、４１ｆ，４１ｇ：接合片、Ｂ：段ボール、Ｂｃ：中芯、Ｗ：収納物、ＷＰ：パッキン、Ｔ：テープ。
【図１】
2015000751.tif 000003
【図２】
2015000751.tif 000004
【図３】
2015000751.tif 000005
【図４】
2015000751.tif 000006
【図５】
2015000751.tif 000007
【図６】
2015000751.tif 000008